(57)【要約】【課題】子供から大人まで鍵盤楽器でグリッサンドを弾けるようにするための補助具を提供する【解決手段】鍵盤楽器演奏時の補助具１は装着する掌から手首までの形にフィットする形状とされており、少なくともいずれかの手指の付け根近傍に固定する手指固定部２を有していると共に手のひらの手根部１ａを覆う手根部覆い部３を有しており、少なくとも当該手根部覆い部３の表面は３２０デニール以下の繊維素材を有している。【選択図】図５
2019120905.tif 000002
【特許請求の範囲】
【請求項１】
鍵盤楽器演奏時の補助具であって、当該補助具は装着する掌から手首までの形にフィットする形状とされており、少なくともいずれかの手指の付け根近傍に固定する手指固定部を有していると共に掌の手根部を覆う手根部覆い部を有しており、少なくとも当該手根部覆い部の表面は３２０デニール以下の繊維素材を有していることを特徴とする鍵盤楽器演奏時の補助具。
【請求項２】
前記繊維素材は、合成繊維である請求項１に記載の鍵盤楽器演奏時の補助具。
【請求項３】
前記繊維素材は、ナイロン繊維、ポリエステル繊維又はポリウレタン繊維のうち、少なくとも一種以上を有している請求項１又は２に記載の鍵盤楽器演奏時の補助具。
【請求項４】
前記手指固定部は全ての手指の付け根近傍に固定するようにされている請求項１から３のいずれかに記載の鍵盤楽器演奏時の補助具。
【発明の詳細な説明】
【技術分野】
【０００１】本発明は、グリッサンドを演奏する際の鍵盤楽器演奏時の補助具に関する。
【背景技術】
【０００２】グリッサンドとは、ある音からある音へと音を連続的に滑らせて演奏する奏法の一種であり、ハープやギターなどの弦楽器や、ピアノなどの鍵盤楽器などで、一般的な演奏法である。【０００３】特にピアノのグリッサンドでは、特定の指を使うとか指のどの部位で弾かなければならないといったような制限はないが、指の爪（図１参照）や指の腹を使い鍵盤の表面を滑らせるようにして弾くことが通常である（非特許文献１）。【０００４】そのため、比較的重いピアノの鍵盤の場合には、グリッサンドの練習時に爪の付け根部分を痛めて血が出るような傷を負うことも少なくなく、子供ばかりでなく大人でも習得するまでには大変な苦労を伴っていた（非特許文献２）。しかも、深爪の人や爪のない人の場合は、グリッサンド奏法自体が困難であった。【０００５】一方、バイオリンやチェロなどの弦楽器の演奏の練習を支援するための補助具は種々提案されている（特許文献１）。【０００６】しかしながら、上述したように、一般的に鍵盤楽器では指の爪や指の腹などでグリッサンドを弾くことが当然と考えられていたため、これまでグリッサンドを弾くための補助具の検討は全く行われていなかった。【０００７】また、ごく稀に掌の付け根部分近傍でグリッサンドを弾くこともあるが（図２参照）、皮膚の突っ張りなどによって鍵盤上を滑らかに滑らせることができない場合が多かった。【０００８】そこで本発明者が種々検討した結果、伸縮性のある繊維質製バンド、ゴム製バンド、樹脂製バンドなどを手首に巻いて使用することにより、ある程度ではあるものの、誰でも簡便に鍵盤楽器のグリッサンドを演奏することができることが分かった。【０００９】しかしながら、例えばテニスの際に手首に装着する伸縮性のあるリストバンドでは、手首にある程度固定して装着できても、厚い繊維素材のためにグリッサンド演奏時に鍵盤上で手を滑らかに移動させることは難しく、しかも繰り返し演奏することで直ぐに表面に毛羽立ちが生じてしまい、極端な場合には２〜３回で毛羽立って表面の繊維がほつれ、鍵盤表面や鍵盤の隙間に繊維が付着して実用的ではなかった。【００１０】また、ゴム製バンドや樹脂製バンドでは、表面が硬すぎる場合には鍵盤上で手を滑らせると「カチカチ」というような異音が出たり、ゴムや樹脂といった材質に起因する摩擦力が働いて鍵盤上を滑らかに滑らせることができず、これも実用的ではなかった。【００１１】しかも、上述したバンドはいずれも伸縮性はあるものの、確実に手首にフィットする訳ではなく、単に手首に装着しただけではグリッサンド演奏時にずれたり回転したりして、スムーズにグリッサンドを弾くことが困難であった。【００１２】また、足や手の保温を目的としたレッグウォーマーショートという保温用手袋があるが、手から手首までを緩やかに覆うものであるため、これでは手から手首までの形に沿った形状ではなく、手指の付け根部は未縫製で、しかも手首近傍のたるみなどによりグリッサンドを弾くには問題があるばかりでなく、色も黒色系であるためにピアノ演奏時には外観上問題があった（図３参照）。
【先行技術文献】
【非特許文献】
【００１３】
【非特許文献１】ピアノ奏法研究  奏法開設  ４．実践的な奏法、［ｏｎｌｉｎｅ］、［平成２９年（２０１７）年１２月３１日検索］、インターネット＜ＵＲＬ：ｈｔｔｐ：／／ｐｉａｎｏｓｏｕｈｏｕ．ｗｅｂ．ｆｃ２．ｃｏｍ／ｓｏｕｈｏｕｋａｉｓｅｔｕ４．ｈｔｍｌ＞
【非特許文献２】ピアノのグリッサンドの上手な弾き方と練習方法、［ｏｎｌｉｎｅ］、［平成２９年（２０１７）年１２月３１日検索］、インターネット＜ＵＲＬ：ｈｔｔｐ：／／ｐｉａｎｏ−ｐｒａｃｔｉｃｅ．ｃｌｉｃｋ／ｂａｓｉｃ／ｈｏｗ−ｔｏ−ｐｌａｙ−ｇｌｉｓｓａｎｄｏ／＞
【特許文献】
【００１４】
【特許文献１】実用新案登録第３１６０４３８号公報
【発明の概要】
【発明が解決しようとする課題】
【００１５】本発明は、子供から大人まで鍵盤楽器でグリッサンドを弾けるようにするための補助具を提供するものである。
【課題を解決するための手段】
【００１６】本発明者は、上述したような問題に鑑み鋭意検討した結果、ストッキングやタイツのような比較的薄く滑り性のある繊維素材を掌の手根部に装着し、この手根部でグリッサンドを弾くことにより異音を出すことなく滑らかに鍵盤上を滑らせることができことが分かった。しかも手指に固定する手指固定部を設けて手根部の周辺を覆うように装着することにより、グリッサンド演奏時にずれたり回転したりすることがなく、手にしっかりと装着できる鍵盤楽器演奏時の補助具を開発するに至った。【００１７】すなわち本発明は、鍵盤楽器演奏時の補助具であって、当該補助具は装着する掌から手首までの形にフィットする形状とされており、少なくともいずれかの手指の付け根近傍に固定する手指固定部を有していると共に掌の手根部を覆う手根部覆い部を有しており、少なくとも当該手根部覆い部の表面は３２０デニール以下の繊維素材を有していることを特徴とする鍵盤楽器演奏時の補助具を提供するものである。
【発明の効果】
【００１８】本発明の鍵盤楽器演奏時の補助具によれば、グリッサンド演奏時にずれたり回転したりすることがなく手根部にしっかりと装着でき、子供から大人まで、簡単にグリッサンドを弾くことができる。【００１９】そして、手指の付け根近傍に固定して手根部の周辺を覆うように装着することで指と手首の関節部分は自在に動かすことができ、いわゆる脱力奏法として手首の力を抜いて指で鍵盤を弾く際にも制限を受けることがない。しかも、手根部覆い部の表面に３２０デニール以下の薄い滑り性のある繊維素材を有していることから、手根部を鍵盤上で滑らかに滑らせることができ、グリッサンドを繰り返し演奏しても補助具自体の劣化や破損を防止することができる。
【図面の簡単な説明】
【００２０】
【図１】指の爪側でグリッサンドを弾いている写真。
【図２】掌の付け部分近傍でグリッサンドを弾いてる写真。
【図３】保温用手袋を手に装着した状態を示す写真。
【図４】成人の女性と男性の掌側の各部を示す写真。
【図５】本発明の一実施形態の補助具を手の甲側から見た模式図。
【図６】本発明の実施形態の補助具を掌側から見た模式図。
【図７】本発明の一実施形態の補助具を手の側面側から見た模式図。
【図８】本発明の他の実施形態の補助具を手の甲側から見た模式図。
【図９】本発明の他の実施形態の補助具を掌側から見た模式図。
【図１０】本発明の他の実施形態の補助具を手の側面側から見た模式図。
【図１１】本発明の他の実施形態の補助具を手の甲側から見た模式図。
【図１２】本発明の他の実施形態の補助具を掌側から見た模式図。
【図１３】本発明の他の実施形態の補助具を手の側面側から見た模式図。
【発明を実施するための形態】
【００２１】以下、図面を参照しながら、本発明を詳細に説明する。図１は手の指の爪でグリッサンドを弾いている様子を示す写真、図２は掌の付け根部分近傍でグリッサンドを弾いている様子を示す写真である。図３は保温用手袋を手に装着した状態を示す写真である。保温用手袋では保温を目的としているために、ゆったり目に縫製されており、掌から手首までの形にはフィットしておらず、手指の付け根部は未縫製で固定されておらず、波状の突起があり、手首から腕の部分にかけてもフィットせずにゆったり目に縫製されていることが分かる。
【００２２】図４（ａ）は成人の女性Ａさん、（ｂ）は成人の男性Ｈさんの右手の掌の写真である。このように、女性と男性の掌の大きさは異なるものの、いずれも手根部１ａと呼ばれる部分と、手首の関節部分１ｂと、手首の関節の骨の部分１ｃがある。そして、ピアノ演奏時においては、各手指で自由に鍵盤を弾くことができるようにすることと手首の関節部分１ｂを自由に動かすことができるようにして柔らかな音を奏でることが特に重要である。
【００２３】図５に本発明の一実施形態の鍵盤楽器演奏時の補助具１を手の甲側から見た模式図、図６に本発明の一実施形態の補助具１を掌側から見た模式図、図７に本発明の一実施形態の補助具１を側面側から見た模式図をそれぞれ示す。
【００２４】この実施形態においては、補助具１は手袋状となっているが、全ての指は解放状態とされている。そして、補助具１は手指固定部２によって手指の付け根近傍（第三関節近傍）で手指の形状に圧迫感なくフィットするように固定されている。この手指固定部２は補助具１に手指を通す穴として設けられており、装着した際に手指が解放状態となって手指で自由に鍵盤を弾くことができる。この手指を通す穴の周縁部は、縫製やゴム素材などにより手指に圧迫感がないように伸縮自在とされて、手指の形状にフィットするように固定できるようになっている。さらに、掌から手首までの形に沿った形状とされており、装着時に掌から手首までの形に圧迫感なくフィットするようになっている。なお、手首までの形としては、掌から手首の関節部分１ｂまでに至る形でフィットするようにすれば良く、必ずしも手首の関節の骨の部分１ｃや腕の部分１ｄまでもピッタリとフィットさせる必要はない。
【００２５】この実施形態における補助具１は手袋状であるが、手根部１ａを覆う手根部部覆い部３は、補助具１と一体として縫製や形成をしても構わないし、別体として縫製や形成をしても構わない。そして、手根部覆い部３の表面を鍵盤上で滑らかに滑らせることができ、かつ、異音が発生しないようにすることから、少なくとも手根部覆い部３の表面は比較的薄い生地の繊維素材を有している。もちろん、補助具１全体を同じ繊維素材で縫製又は形成しても構わない。
【００２６】この繊維素材は、ストッキングやタイツのような３２０デニール以下の薄さである。鍵盤上を滑らかに滑らせると共に演奏時に装着していても外観上違和感がない程度の薄さである観点からは、１６０デニール以下が好ましく、１４０デニール以下がより好ましく、１１０デニール以下がさらに好ましい。また、グリッサンドを弾く際に掌の手根部１ａが鍵盤から受ける抗力を軽減すると共に繊維素材の劣化や破損を防止する観点からは、３０デニール以上が好ましく、４０デニール以上がより好ましく、６０デニール以上かさらに好ましい。もちろん、これらの繊維素材の厚さの範囲は、繊維素材の種々の材質の組合せによって適宜選択することができる。例えば、２５〜３２０デニール、３０〜１６０デニール、２５〜１１０デニール、６０〜３２０デニール、８０〜１６０デニールなどの範囲とすることでも構わない。しかも、ストッキングやタイツのように、手や手首のような肌色などの色調にしたりすることもできるので、ピアノ演奏時にも外観上違和感がないようにすることもできる。
【００２７】繊維素材の種類としては、滑り性と伸縮性と耐久性を備えている繊維が好ましく、ナイロン繊維、ポリエステル繊維、アクリル繊維、ポリウレタン繊維のような合成繊維が好ましい。さらに、これらを一種又は二種以上を組み合わせた繊維素材が好ましく、装着時にフィット感があると共に耐久性にも優れて繊維のほつれが生じにくいといった観点からは、ナイロン繊維、ポリエステル繊維、ポリウレタン繊維のうち、少なくとも一種以上を有していることが好ましい。特に、滑り性と伸縮性と耐久性を満たす観点からは、例えば、ナイロン繊維９０％とポリウレタン繊維１０％を組み合せたような繊維素材や、ポリエステル繊維９３％とポリウレタン繊維７％を組み合わせたような繊維素材や、ナイロンン繊維とポリエステル繊維とポリウレタン繊維を組み合わせたような繊維素材が好ましい。しかも、上述したように、ストッキングやタイツのように、手や手首のような肌色にすることで、ピアノ演奏時にも外観上違和感がないような色調とすることもできる。
【００２８】この実施形態において、手袋状の補助具１の手首の関節部分１ｂは、ストッキングやタイツのような繊維素材であることから、伸縮自在に装着できると共に圧迫感もないように縫製や形成をすることが可能であるため、脱力奏法の際に手首に負担がかからず音色のコントロールができる。しかも、上述したように、ストッキングやタイツのように、手や手首のような肌色にすることで、ピアノ演奏時にも外観上違和感がないような色調とすることもできる。
【００２９】鍵盤楽器を演奏する際に、補助具１と手が一体化しているように見せる観点から、補助具１は手首の関節の骨の部分１ｃ、さらには腕の部分１ｄまで延びて形成されていることが好ましい。
【００３０】また、グリッサンド演奏時に補助具１が回転することををより確実に防止したり固定力を調整したりするために、腕の部分１ｄの繊維素材を厚くして固定したり、伸縮性を増して固定したり、腕の部分１ｄをゴムや紐や着脱テープなどで固定したり、腕の部分１ｄ自体に着脱自在の構造を採用することも好ましい。しかも、図４〜６に示すように腕の部分１ｄに一定の幅を設けるようにすることで、この部分に演奏時に華やかさを醸し出すための装飾品を取り付けることも可能である。
【００３１】図８に他の実施形態の鍵盤楽器演奏時の補助具１を手の甲側から見た模式図、図９に他の実施形態の補助具１を掌側から見た模式図、図１０に他の実施形態の補助具１を側面側から見た模式図をそれぞれ示す。
【００３２】この実施形態においては、手指固定部２は中指の付け根近傍（第三関節の近傍）にのみ中指の付け根近傍の形状にフィットするように設けられており、手根部覆い部３は掌側から見て略三角形状となっている。この実施形態においては中指の第三関節部分であるが、これを人差し指や薬指の部分に代えることも、もちろん可能である。
【００３３】この実施形態においても、種々の構成は、上述した一実施形態とはほぼ同じであるが、図８に示すように、手首に装着する部分は、着脱自在な構造とされており、腕の部分１ｄで締付力を調整できるようにされている。この着脱自在な構造は、上述した一実施形態に採用することも、もちろん可能である。
【００３４】図１１に他の実施形態の鍵盤楽器演奏時の補助具１を手の甲側から見た模式図、図１２に他の実施形態の補助具１を掌側から見た模式図、図１３に他の実施形態の補助具１を側面側から見た模式図をそれぞれ示す。
【００３５】この実施形態においては、手指固定部２は親指の付け根近傍と人差し指の付け根近傍の間を跨ぐようにして設けられていると共に、薬指の付け根近傍と小指の付け根近傍の間を跨ぐようにして設けられている。そして、上述した他の実施形態と同様に、手首に装着する部分は、着脱自在な構造とされており、腕の部分１ｄで締付力を調整できるようにされている。
【００３６】この実施形態においては、手指固定部２と手根部覆い部３とを繋ぐバンド状の部材が設けられているが（図１２参照）、グリッサンドを弾く際にこのバンド状部材が障害にならないように、手根部覆い部３の掌側で一体に縫製又は形成することが好ましい。
【符号の説明】
【００３７】１・・・鍵盤楽器演奏時の補助具、１ａ・・・手根部、１ｂ・・・手首の関節部分、１ｃ・・・手首の関節の骨の部分、１ｄ・・・腕の部分、２・・・手指固定部、３・・・手根部覆い部
【図１】
2019120905.tif 000003
【図２】
2019120905.tif 000004
【図３】
2019120905.tif 000005
【図４】
2019120905.tif 000006
【図５】
2019120905.tif 000007
【図６】
2019120905.tif 000008
【図７】
2019120905.tif 000009
【図８】
2019120905.tif 000010
【図９】
2019120905.tif 000011
【図１０】
2019120905.tif 000012
【図１１】
2019120905.tif 000013
【図１２】
2019120905.tif 000014
【図１３】
2019120905.tif 000015